(57)【要約】      （修正有）【課題】記録の高速化を安定に行うことができるようにする。【解決手段】光ディスク装置は半導体レーザ４１と、記録タイミング信号を生成する記録パルスタイミング生成回路３４と、レーザ電流の電流量を設定するレーザ電流設定回路３１〜３３と、記録タイミング信号に応じてレーザ電流の電流量を切替えるスイッチ回路３６と、記録パルスの応答特性を補正するパルス補正信号を生成するパルス補正信号生成回路３７と、スイッチ回路３６の切替結果として得られレーザ電流の電流量を決定する複数の信号とパルス補正信号とを合成する合成回路３８と、合成回路の合成結果に対応して半導体レーザにレーザ電流を流す駆動回路４０とを備える。パルス補正信号生成回路３７はスイッチ回路３６の切替結果として得られる信号と合成回路で生成された信号とから高周波数成分を取り出し、記録パルス条件に応じてその周波数および信号ゲインの少なくとも一方を切替える。【選択図】図２
2009245568.tif 000002
【特許請求の範囲】
【請求項１】
光ディスクに記録および再生用に照射されるレーザ光を発生する半導体レーザと、
記録パルスタイミングを決定する記録タイミング信号を生成する記録パルスタイミング生成回路と、
前記半導体レーザに流すレーザ電流の電流量を設定するレーザ電流設定回路と、
前記記録タイミング信号に応じて前記レーザ電流の電流量を切替えるスイッチ回路と、
前記記録タイミング信号から記録パルスの応答特性を補正するパルス補正信号を生成するパルス補正信号生成回路と、
前記スイッチ回路の切替結果として得られ前記レーザ電流の電流量を決定する複数の信号とパルス補正信号とを合成する合成回路と、
前記合成回路の合成結果に対応して前記半導体レーザに前記レーザ電流を流す駆動回路とを備え、
前記パルス補正信号生成回路は前記スイッチ回路の切替結果として得られる信号と前記合成回路で生成された信号とから高周波数成分を取り出し、記録パルス条件に応じてその周波数および信号ゲインの少なくとも一方を切替えることを特徴とする光ディスク装置。
【請求項２】
前記パルス補正信号生成回路で生成される信号を前記スイッチ回路の切替結果として得られる信号それぞれから取り出し、それらの信号の取り出す周波数およびゲインの少なくとも一方を独立に設定し、それら信号を前記スイッチ回路の切替結果として得られる信号に前記合成回路で合成することを特徴とする請求項１に記載の光ディスク装置。
【請求項３】
前記合成回路で生成された信号から、その高周波数成分のみを取り出し、前記記録パルス条件に応じてその周波数および信号ゲインの少なくとも一方の設定を切替えることができ、生成された信号を前記駆動回路でレーザ駆動信号に加えることを特徴とする請求項１に記載の光ディスク装置。
【請求項４】
前記パルス補正信号生成回路の周波数および信号ゲインの設定は予め最適な条件に設定されていて、前記記録パルス条件を求める際に設定値が最適かどうかを検出し、最適な値に再設定することを特徴とした請求項１，２または３に記載の光ディスク装置。
【請求項５】
記録および再生を繰り返す場合に再生時に直前に書かれたデータの一部を再生し、ある決められた値以上のエラー率の変化を生じた際に前記パルス補正信号生成回路の設定条件を予め決めた値だけ設定を変更することを特徴とした請求項１,２または３に記載の光ディスク装置。
【請求項６】
前記半導体レーザ近傍の温度を測定する温度センサを持ち、測定結果に応じて前記パルス補正信号生成回路の設定条件を予め決められた値に変更することを特徴とした請求項１,２または３に記載の光ディスク装置。
【請求項７】
前記半導体レーザの印加電圧をモニタするモニタ部を有しそのモニタ結果に応じて前記パルス補正信号生成回路の設定条件を予め決められた値で変更することを特徴とする請求項１,２または３に記載の光ディスク装置。
【請求項８】
光ディスクに記録および再生用に照射されるレーザ光を発生する半導体レーザと、
記録パルスタイミングを決定する記録タイミング信号を生成する記録パルスタイミング生成回路と、
前記半導体レーザに流すレーザ電流の電流量を設定するレーザ電流設定回路と、
前記記録タイミング信号に応じて前記レーザ電流の電流量を切替えるスイッチ回路と、
前記記録タイミング信号から記録パルスの応答特性を補正するパルス補正信号を生成するパルス補正信号生成回路と、
前記スイッチ回路の切替結果として得られ前記レーザ電流の電流量を決定する複数の信号とパルス補正信号とを合成する合成回路と、
前記合成回路の合成結果に対応して前記半導体レーザに前記レーザ電流を流す駆動回路とを備える光ディスク装置の制御方法であって、
前記スイッチ回路の切替結果として得られる信号と前記合成回路で生成された信号とから高周波数成分を取り出し、
記録パルス条件に応じてその周波数および信号ゲインの少なくとも一方を切替えることを特徴とする制御方法。
【発明の詳細な説明】
【技術分野】
【０００１】
本発明は、半導体レーザの出力波形を補正する光ディスク装置および制御方法に関する。
【背景技術】
【０００２】
従来の光ディスク装置では、高速記録を行うために記録タイミングからレーザの立ち上がりがフィルタで鈍化することへの補正として、記録用のパルスをもとにして補正パルスを作成し、その補正パルスのパルス幅とパワーを適当に与えて、記録パルスに加算したパルスを合成してレーザを発光させる（特許文献１を参照）。そうすることによって、立ち上がり部分が補正されて、レーザに電流を加えるドライバ部分での鈍化を補償するように構成されている。また、その鈍化するフィルタ部を追加して定数を切替えるようにして、こちらも温度や電流量などの条件によって適正値に設定できるようにしている。
【特許文献１】特開２００６−４８８８５号公報
【発明の開示】
【発明が解決しようとする課題】
【０００３】
しかし、近年更なる高速化が進み、上記文献で記載されているような立ち上がりが1.5nsでは十分とはいえず、1nsより短い時間での立ち上がりが要求されており、また、もっとも細い記録パルス幅は2ns以下が要求されているため、上記のような方法では、立ち上がりの補正パルスのタイミングの調整が非常に難しく、補償すべきタイミング自体が温度などによってさらに変動してしまうため、うまく補償ができなくなってしまった。また、特許文献１で作成しようとしている記録波形は単純な矩形波であるが、更なる高速化記録の場合に記録メディア自体が持つ応答速度、つまりレーザ光から得たエネルギーにより記録膜が何らかの変化をするまでの速度が相対的に遅くなってしまうため、記録パルス自体をメディア自体の鈍化を補償する形状で発光させることが必要になった。そうなると文献のような方法での制御がパルスのズレ時間が非常に短くしなければならず安定にずらすことが難しくなってしまい、特許文献１の方法では安定した高速記録が出来なくなった。またフィルタをいくら切替えても応答を鈍化させるだけしか出来ないために、最適になる条件が見つからなくなってしまい、安定した高速記録が出来なくなった。
【０００４】
本発明の目的は、記録の高速化を安定に行うことができる光ディスク装置およびその制御方法を提供することにある。
【課題を解決するための手段】
【０００５】
本発明の第１観点によれば、光ディスクに記録および再生用に照射されるレーザ光を発生する半導体レーザと、記録パルスタイミングを決定する記録タイミング信号を生成する記録パルスタイミング生成回路と、半導体レーザに流すレーザ電流の電流量を設定するレーザ電流設定回路と、記録タイミング信号に応じてレーザ電流の電流量を切替えるスイッチ回路と、記録タイミング信号から記録パルスの応答特性を補正するパルス補正信号を生成するパルス補正信号生成回路と、スイッチ回路の切替結果として得られレーザ電流の電流量を決定する複数の信号とパルス補正信号とを合成する合成回路と、合成回路の合成結果に対応して半導体レーザにレーザ電流を流す駆動回路とを備え、パルス補正信号生成回路はスイッチ回路の切替結果として得られる信号と合成回路で生成された信号とから高周波数成分を取り出し、記録パルス条件に応じてその周波数および信号ゲインの少なくとも一方を切替える光ディスク装置が提供される。
【０００６】
本発明の第２観点によれば、光ディスクに記録および再生用に照射されるレーザ光を発生する半導体レーザと、記録パルスタイミングを決定する記録タイミング信号を生成する記録パルスタイミング生成回路と、半導体レーザに流すレーザ電流の電流量を設定するレーザ電流設定回路と、記録タイミング信号に応じてレーザ電流の電流量を切替えるスイッチ回路と、記録タイミング信号から記録パルスの応答特性を補正するパルス補正信号を生成するパルス補正信号生成回路と、スイッチ回路の切替結果として得られレーザ電流の電流量を決定する複数の信号とパルス補正信号とを合成する合成回路と、合成回路の合成結果に対応して半導体レーザにレーザ電流を流す駆動回路とを備える光ディスク装置の制御方法であって、スイッチ回路の切替結果として得られる信号と合成回路で生成された信号とから高周波数成分を取り出し、記録パルス条件に応じてその周波数および信号ゲインの少なくとも一方を切替える制御方法が提供される。
【発明の効果】
【０００７】
これら光ディスク装置および制御方法では、複数の記録パルスのタイミング信号を組み合わせ、立ち上がり、立下りのタイミングを基準となる信号からのみで記録タイミングを生成する。このため、合成によるパルスタイミングのずれを発生させなくできる。さらに記録パルスタイミングの信号に交流カップリングした信号を増幅可変させることで記録ディスクの鈍化補償用の信号を生成し、その増幅量は動作環境や動作速度、記録パワーやメディアの特性などの諸条件によって最適な状態に設定を切替えることが可能である。
【０００８】
すなわち、パルス発光のタイミングの工夫と立ち上がり時の電流の補正信号を加えて立ち上がり、立下りを改善し、その補正信号の周波数特性や信号量は温度や記録速度などの動作条件、記録すべきメディアの特性などに応じて最適値に切替えることで、記録パルス波形がメディアの鈍化特性を補償できる形状に制御できるため、更なる記録の高速化を安定に行えるようになる。
【発明を実施するための最良の形態】
【０００９】
以下、本発明の第１実施形態に係る光ディスク装置について添付図面を参照して説明する。
【００１０】
図１はこの光ディスク装置の構成を示す。光ディスクはディクスモータ１１に回転自在に装着される。ディスクモータ１１には、周波数ジェネレータＦＧが設けられる。制御処理部１０は周波数ジェネレータＦＧからの回転角信号と内部の基準周波数とを比較し、この比較結果の誤差信号でディスクモータ１１を所定の回転方向と回転数に設定するようディスクモータ制御部１２を制御する。
【００１１】
ピックアップ１３はディスクの情報記録面に対向するように設けられ、ディスクの半径方向に移動自在に図示しない摺動軸に支持され、リードスクリュー１４によって移動される。ステップモータ１５はピックアップ１３の送りモータで、回転軸にはリードスクリュー１４が直結されている。位置検出スイッチ１６はピックアップ１３のホーム位置に配置され、ピックアップ１３がディスクの内周側に移動して位置検出スイッチ１６に接触したときにピックアップ１３がホーム位置に到達したことを検出する。この位置検出スイッチ１６はピックアップ１３の位置を初期設定するために利用される。
【００１２】
レーザ光は、回折格子により３ビームに分割され、ピックアップ１３内の光学部品を介して対物レンズで集光され、ディスクの情報記録面にスポットを形成するように照射される。ディスクで反射されたレーザ光は、対物レンズに戻り、図示しない内部の光学部品を介して８分割のディテクタに入射する。フォーカスエラー信号は非点収差方式であり、トラッキングエラー信号はＤＰＰ方式を採用している。ディテクタはピックアップ内部のＩＣにより入射光の電流電圧変換を行い、この変換結果の信号を所定のヘッドアンプ１７に出力する。
【００１３】
対物レンズは、バネにより支持され、レーザ光の光軸方向（フォーカス方向）と、ディスクの半径方向（トラック方向）に移動自在に支持される。ここでは、コイルおよびマグネットが対物レンズをフォーカス方向およびトラック方向にそれぞれ駆動するために設けられている。これら２方向の動作部は２軸アクチュエータと呼ばれる。フォーカスコイルはドライバ２０から出力されるフォーカス駆動信号により駆動され、トラッキングコイルはドライバ２１から出力されるトラッキング駆動信号により駆動される。ドライバ２０および２１はサーボアンプ１８および１９にそれぞれ接続されている。サーボアンプ１８は制御処理部１０の制御によりヘッドアンプ１７からのフォーカスエラー信号に対応してフォーカス駆動信号を発生する。サーボアンプ１９は制御処理部１０の制御によりヘッドアンプ１７からのトラッキングエラー信号に対応してトラッキング駆動信号を発生する。
【００１４】
制御処理部１０は図示しないＣＤ，ＤＶＤ，高密度記録ＤＶＤ復調器およびアドレスデコーダにより、ヘッドアンプ１７から情報信号として得られる高周波（ＲＦ）信号、その他の信号からディスクアドレス情報を取得する。ステップモータ２２の制御において、制御処理部１０は２相の正弦波状信号を生成し、これら信号を電力増幅してドライバ２２に出力する。
【００１５】
図２は図１に示す自動パワー制御回路２４の構成を示す。自動パワー制御回路２４は制御処理部１０のデジタル制御により動作設定を行い、この動作設定の結果としてピックアップ１３内のレーザ光源である半導体レーザ４１のレーザ出力を制御する。
【００１６】
図２に示すように、自動パワー制御回路２４はレーザ電流量を動作設定項目とする第１〜第３の電流設定回路３１，３２，３３、記録パルスタイミングを決定する記録タイミング信号を生成する記録パルスタイミング生成回路３４、記録パルス条件を設定するパルス条件設定回路３５、電流設定回路３１，３２，３３からの電流量信号を記録パルスタイミング生成回路３４からのタイミング信号に応じて出力するスイッチ回路３６、記録タイミング信号から記録パルスの応答特性を補正するパルス補正信号を生成するパルス補正信号生成回路３７、スイッチ回路３６から電流量信号にパルス補正信号生成回路３７からのパルス補正信号を重畳させる合成回路３８、合成回路３８からの出力信号からパルス補正信号を生成するパルス補正信号生成回路３９、および合成回路３８の出力信号に対応して半導体レーザ４１を駆動するレーザ駆動部４０を含む。
【００１７】
図３は自動パワー制御回路２４の具体的な構成例を示す。ここでは、電流設定回路３１がレーザ電流量設定用ＤＡ変換器３１Ａおよび増幅器３１Ｂで構成され、電流設定回路３２がレーザ電流量設定用ＤＡ変換器３２Ａおよび増幅器３２Ｂで構成され、電流設定回路３３がレーザ電流量設定用ＤＡ変換器３３Ａおよび増幅器３３Ｂで構成される。記録パルスタイミング生成回路３４は図３に示すように接続された第１記録パルス源３４Ａ、第２記録パルス源３４Ｂ、第３記録パルス源３４Ｃ、ＡＮＤゲート回路３４Ｄ、ＡＮＤゲート回路３４Ｅ、ＯＲゲート回路３４Ｆ、ＮＯＲゲート回路３４Ｇ、スイッチ３４Ｈ、および抵抗器３４Ｉで構成される。ＡＮＤゲート回路３４Ｄの第１および第２入力端は第１記録パルス源３４Ａの出力端に接続され、ＡＮＤゲート回路３４Ｅの第１および第２入力端は第１記録パルス源３４Ａの出力端および第２記録パルス源３４Ｂの出力端に接続される。ＯＲゲート回路３４Ｆの第１および第２入力端は第１記録パルス源３４Ａの出力端および第３記録パルス源３４Ｃの出力端に接続される。ＮＯＲゲート回路３４Ｇの第１〜第３入力端は第記録パルス源３４Ａ〜３４Ｃの出力端に接続される。スイッチ３４ＨはＮＯＲゲート回路３４Ｇにより制御される。パルス条件設定回路３５は設定データレジスタ３５Ａで構成される。スイッチ回路３６はＡＮＤゲート回路３４Ｄの制御により制御電流設定回路３１を選択するスイッチ３６Ａ、ＡＮＤゲート回路３４Ｅの制御により電流設定回路３２を選択するスイッチ３６Ｂ、ＯＲゲート回路３４Ｆの制御により電流設定回路３３を選択するスイッチ３６Ｃで構成される。パルス補正信号生成回路３７は可変利得増幅器３７Ａ〜３７Ｃおよび可変コンデンサ３７Ｄ〜３７Ｆで構成される。ＡＮＤゲート回路３４Ｄの出力端は可変コンデンサ３７Ｄを介して可変利得増幅器３７Ａに接続され、ＡＮＤゲート回路３４Ｅの出力端は可変コンデンサ３７Ｅを介して可変利得増幅器３７Ｂに接続され、ＡＮＤゲート回路３４Ｆの出力端は可変コンデンサ３７Ｆを介して可変利得増幅器３７Ｃに接続される。合成回路３８はスイッチ３６Ａ〜３６Ｃからの出力信号に可変利得増幅器３７Ａ〜３７Ｃからの出力信号を重畳させる配線として設けられる。レーザ駆動部４０はＭＯＳトランジスタ４０Ａおよびレーザ用電源４０Ｃを含む。ＭＯＳトランジスタ４０Ａはレーザ用電源４０Ｃおよびグランド間において半導体レーザ４１と直列に接続され、合成回路３８の出力信号により制御される。スイッチ３４Ｈおよび抵抗器３はＭＯＳトランジスタ４０Ａのゲートおよびグランド間において並列に接続される。パルス補正信号生成回路３９は可変利得増幅器３９Ａおよび可変コンデンサ３９Ｂで構成される。合成回路３８の出力信号は可変コンデンサ３９Ｂを介して可変利得増幅器３９Ａに入力され、この可変利得増幅器３９Ａの出力信号が半導体レーザ４１およびＭＯＳトランジスタ４０Ａ間のノードに印加される。設定データレジスタ３５Ａは可変利得増幅器３７Ａ〜３７Ｃ，３９Ａおよび可変コンデンサ３７Ｄ〜３７Ｆ，３９Ｂを制御するように接続される。
【００１８】
上述の構成例では、制御処理部１０は発光させるべきパワーレベルとその期間を表す記録パルスタイミングを伝送する。具体的には、３種類のパワーレベルおよびこれらのパワーレベルの維持期間が所定の規則で伝送される。パワーレベルはデジタルからアナログのレーザ電流量にＤＡ変換され、そのゲインを合わせて増幅される。これら電流量はスイッチ回路３６でそれぞれ維持期間だけ出力するように切り替えて合成される。レーザ駆動部４０はこの合成結果に対応するレーザ電流を半導体レーザ４１に流す。
【００１９】
この際に、合成回路３８およびレーザ駆動部４０には、記録パルスタイミング信号および合成信号から生成されたパルス補正信号が加えられる。
【００２０】
記録パルスタイミング生成回路３４は記録パルス源３４Ａの記録パルス１を基準にして、この記録パルス１と記録パルス源３４Ｂの記録パルス２との論理積、およびこの記録パルス１と記録パルス源３４Ｃの記録パルス３との論理和でタイミング信号を生成する。ここで、記録パルス１は他の信号と同様に遅延されるように同じ信号で論理積をとってタイミングを合わせている。
【００２１】
図４はモノパルス方式の記録例を示す。図４に示すような記録パルス１，２，３によりレーザ電流を設定し、マークの書きはじめと書き終わりで記録パルス１，２が同時にオンおよびオフするように論理積をとることで記録パルス１の立ち上がりと立ち下がりをエッジでのみ決めている。また、マークの最後の短いオフ部分については、論理和をとることで立下りを記録パルス１で決め、立ち上がりを記録パルス３で決めている。また、記録マーク途中のパワーが変わるタイミングは記録パルス２で決まるようになっている。例えば図９に示すような構成を採用し、独立に２つの信号を伝送して２個のスイッチをそれぞれ切り替え合成する一般的な場合には、図１０に示すような小さな時間ズレが２つのパルス間に発生し、これにより電流波形が階段状になってしまう。これは、図４に示すレーザ電流波形において防止される。また、1つのパルスタイミングで切替えを行うため後述のようなレベルを変化するタイミングでのパルスの立ち上がり、立下り補正が容易に出来るようになる。
【００２２】
レーザ電流量については、制御処理部１０の設定結果として得られるＤＡ変換器３１Ａ，３２Ａ，３３Ａの出力信号がゲインを合わせて増幅される。また、これら出力信号は記録パルスタイミングでスイッチングすることによりある期間ずつ出力される。これらは、電流信号として抵抗器で合成され、電圧に変換される。この電圧はレーザ駆動部４０のトランジスタ４０Ａに供給され、この信号に応じてレーザ電流が変化する。
【００２３】
ここで、パルス補正信号生成回路３７について説明する。記録パルスタイミング生成回路３４を用いて各レーザ電流量設定信号を切り替えて合成する際に、ＡＣカップリング用の可変コンデンサ３７Ｄ〜３７Ｆおよび可変利得増幅器３７Ａ〜３７Ｃはそれぞれのレーザ電流量設定信号から高周波数成分のみ抜き出す。ここで、この可変コンデンサ３７Ｄ〜３７Ｆは動作において切替え可能であり、倍速など適正な周波数に設定できる。また、信号補正量は最終的に半導体レーザ４１から発光される波形が適正になるように設定される。スイッチ３６Ａ〜３６Ｃは、切換信号が高レベルのときにオンするように構成され、ＡＣカップリングを行うことによりオン状態でプラス、オフ状態でマイナス方向の信号として抜き出すことができる。合成回路３８に対してオンするときは、この信号分だけ補正されて早く立ち上がり、オフするときはこの信号分だけ速く下げられて立下り補正が出来る。また、この抵抗器３４Ｉはフィルタになるため、スイッチ３４Ｉが半導体レーザ４１をオフさせる場合のスピード低下防止のために設けられている。ちなみに一般的には半導体レーザ４１は完全なオフ（電流がゼロ）にすると、オンさせる際の特性が不安定になることから、わずかに発光する程度にバイアス電流を流している。
【００２４】
次にパルス補正信号生成回路３９について説明する。パルス補正信号生成回路３９はトランジスタ４０Ａの駆動信号を可変コンデンサ３９ＢでＡＣカップリングし、可変利得増幅器３９Ａでゲインを適正に設定し、レーザの駆動の際の順方向電圧の変動極性に合わせて極性反転させて半導体レーザ４１に出力する。これにより、半導体レーザ４１がレベル変動する方向に補正信号が働くことになり、立ち上がりおよび立下りの速度が速くなる。
【００２５】
ここで、具体的なレーザ電流波形の作り方について説明する。モノパルス方式の場合は、図４に示す記録パルス１が記録マークの立ち上がりと立下りの信号、記録パルス２をピークパルスのマーク内でのオフもしくはオンを表す信号、記録パルス３が最終部のクールパルスのタイミングを決めている。意味のあるタイミングを矢印で示した。
【００２６】
全く同様にしてマルチパルス方式の場合は図５に示すように、記録パルス１が記録マークの立ち上がりと立下りの信号、記録パルス３が最終部のクールパルスのタイミングを決めている。
【００２７】
図６はモノパルス方式の記録用に実際に得られたレーザ電流波形を示し、図７はマルチパルス方式の記録用に実際に得られたレーザ電流波形を示す。破線が理想の信号、実線が前記のようなパルス補正信号を適性にした場合の駆動回路電流、点線は半導体レーザ４１がインピーダンスを持っているためローパスフィルタとして働き、実際に半導体レーザ４１から出力されるレーザ光を示している。
【００２８】
次にパルス補正信号の調整方法について説明する。図８はパルス補正信号を最適化するためのフローを示す。
【００２９】
まず、装置製造時にピックアップやレーザ、基板等から発生する寄生素子が原因で特性が劣化している。そのために補正すべき適正値をあらかじめ製造時に波形によって求めておき、その設定を基準値とする。
【００３０】
次に実際に記録される時点での説明をする。記録のためのディスクが装置に挿入された際には記録パワー等の条件を設定するために実際にデータを試し書きする、学習機能を有しており、もし記録の結果が悪かった場合は、この補正条件を基準値から前後させて最適点を求める。
【００３１】
次にドライブで記録を行う際での補正の仕方を説明する。もし半導体レーザ４１近傍の温度が分かるようなセンサがある場合はその出力で環境温度が知ることが出来る。前記パルスの鈍化はレーザの温度が高いほど、電流量が大きいほど必要となる。そこであらかじめ特性が変化する量を求めておいて、温度が変化した量に合わせて設定値を変更していけばよい。また、電流は流そうとしている値に応じて設定を変えればよい。ちなみに、温度センサーが無い場合には、レーザの順方向の動作電圧の変化が検出できる信号をモニタする。図３に示すように半導体レーザ４１のアノードにレーザ用電源４０Ｃを接続し、半導体レーザ４１のカソードにトランジスタ４０Ａを接続している場合は、カソード電圧を測定すればよい。温度、電流のトータルでこの電圧も変化するため、あらかじめこの電圧と補正地の関係を求めておき、電圧値に応じて補正すればよい。
【００３２】
次に実際に記録しているデータから補正を行う方法を説明する。
【００３３】
光ディスクの場合実際の記録を行う際にはホストから送られるデータより速い速度で記録するため、実際にはあるまとまったデータを記録し、一旦中断して記録データを蓄えてまた再度記録を行うような動作となる。この際に直前に記録したデータの一部を再生しエラー率などをみて、もし悪化してきたら前記パルス補正の設定を変更する。この際に基本的には温度上昇が問題であるため長く書き続けるほど温度が上昇してエラー率の発生することがわかっているため、設定の方向としてはさらに補正を加ええる方向となる。  
このようにして制御を行うことによって温度や電流量が異なったりしても高速に安定した記録をすることが可能になる。
【００３４】
尚、本実施形態では、半導体レーザのカソード側にレーザ駆動部４０を接続して動作させているが、例えばアノードに駆動回路４０を接続し、カソードをグラウンドに接続するようなレーザ駆動部４０であっても同様の補正が可能である。但し、レーザ駆動部４０段のパルス補正信号の接続時の極性は上述の実施形態とは反対、つまり順方向に接続すればよいことになる。また、半導体レーザ４１や基板等の寄生素子は波長に対して異なる特性になっているため、レーザによって同等特性になるように半導体レーザ４１にフィルタを接続したりするが、その特性も含めてパルス補正信号の設定を行えばよい。
【００３５】
一般的にレーザ駆動部４０は電源が有限な場合、電圧に余裕がなくなるとスピード性能が劣化する。レーザダイオードのような半導体レーザ４１は電流が流れるほど、温度が高いほどこの性能劣化は著しいのに対して、装置の高倍速記録においては一般的に、内部の回路が速く動くために電力が上がり結果発熱が増えて温度が上昇する。その際に以上のように記録パルスのタイミング信号を元に生成されたパルス補正信号を加えることによって、レーザの記録電流におけるパワー変化部分の応答特性が温度変化や流す電流による安定に高速化が可能になる。
【図面の簡単な説明】
【００３６】
【図１】本発明の一実施形態に係る光ディスク装置の構成を示すブロック図である。
【図２】図１に示す自動パワー制御回路の構成を示す図である。
【図３】図２に示す自動パワー制御回路の具体的な構成例を示す図である。
【図４】図３に示す自動パワー制御回路によるモノパルス方式の記録例を示す図である。
【図５】図３に示す自動パワー制御回路によるマルチパルス方式の記録例を示す図である。
【図６】図４に示すモノパルス方式の記録例で実際に得られるレーザ電流波形を示す図である。
【図７】図５に示すマルチパルス方式の記録例で実際に得られるレーザ電流波形を示す図である。
【図８】図３に示す自動パワー制御回路で生成されるパルス補正信号を最適化するためのフローを示す図である。
【図９】一般的な自動パワー制御回路の構成例を示す図である。
【図１０】図９に示す自動パワー制御回路でモノパルス方式の記録用に得られるレーザ電流波形を示す図である。
【図１１】図９に示す自動パワー制御回路でマルチパルス方式の記録用に得られるレーザ電流波形を示す図である。
【符号の説明】
【００３７】
１０…制御処理部、２４…自動パワー制御回路、３１〜３３…レーザ電流量設定回路、３４…記録パルスタイミング生成回路、３５…パルス条件設定回路、３６…スイッチ回路、３７…パルス補正信号生成回路、３８…合成回路、３９…パルス補正信号生成回路、４０…レーザ駆動部、４１…半導体レーザ。
【図１】
2009245568.tif 000003
【図２】
2009245568.tif 000004
【図３】
2009245568.tif 000005
【図４】
2009245568.tif 000006
【図５】
2009245568.tif 000007
【図６】
2009245568.tif 000008
【図７】
2009245568.tif 000009
【図８】
2009245568.tif 000010
【図９】
2009245568.tif 000011
【図１０】
2009245568.tif 000012
【図１１】
2009245568.tif 000013